(57)【要約】【課題】アップリンクＭＤＴ測定の方法を提供する。【解決手段】ＭＤＴ情報ロギングと報告の方法が提供される。一態様において、一方法が提供されて、ＵＬ測定とＱｏＳ情報を関連付けることにより、従来の技術の欠点を解決し、サービスエリア問題のＵＬパフォーマンス分析および正確な検出を可能にする。別の態様において、一方法が提供され、ＵＬ測定の条件下で、ＤＬ測定および位置情報を収集またはロギングすることにより、従来の問題の欠点を解決する。【選択図】    図３
2013541921.tif 000002
【特許請求の範囲】
【請求項１】
アップリンクＭＤＴ測定の方法であって、 
ワイヤレスアップリンクチャネルで、ユーザー装置 (ＵＥ)からネットワークデバイスに、アンプリンクデータを伝送する工程と、
前記アップリンクチャネルの伝送電力を測定し、これにより、伝送電力情報を生成する工程と、
前記アップリンクチャネルの伝送サービス品質 (ＱｏＳ)情報を得る工程、および、
前記伝送電力情報と前記伝送ＱｏＳ情報を関連付けて、これにより、前記ＵＥのアップリンクパフォーマンスを判断する工程、
を含むことを特徴とするアップリンクＭＤＴ測定の方法。
【請求項２】
前記伝送ＱｏＳ情報は、少なくともひとつのデータレート、トランスポートブロックサイズ、変調および符号化スキーム、伝送バンド幅、複数のリソースブロック、複数のソフトコンビネーションまたはネットワークマクロダイバーシチ、信号強度または品質、および、干渉レベルを含むことを特徴とする請求項１に記載のアップリンクＭＤＴ測定の方法。
【請求項３】
前記伝送電力情報は、少なくともひとつの測定される絶対伝送電力、パワーヘッドルームレポート、前記ＵＥは電力が制限されることを示すインジケーター、および、電源制御コマンドまたは所定のＵＥ電源制御行動に基づいて推定される潜在の電力情報を含むことを特徴とする請求項１に記載のアップリンクＭＤＴ測定の方法。
【請求項４】
前記ＵＥは、ＵＥメトリクスログ中、前記伝送電力情報および前記伝送ＱｏＳ情報の相関結果をアーカイブすることを特徴とする請求項１に記載のアップリンクＭＤＴ測定の方法。
【請求項５】
さらに、
前記ＵＥメトリクスログを前記ネットワークデバイスに報告する工程を含むことを特徴とする請求項４に記載のアップリンクＭＤＴ測定の方法。
【請求項６】
前記ログへの前記アーカイブは、ネットワークパフォーマンス問題に対応する状況に基づいた条件であることを特徴とする請求項４に記載のアップリンクＭＤＴ測定の方法。
【請求項７】
前記状態は低データレートで、前記ＵＥは電源が制限されることを特徴とする請求項６に記載のアップリンクＭＤＴ測定の方法。
【請求項８】
アップリンクＭＤＴ測定の方法であって、
無線ネットワーク中、アップリンクチャネルで、ユーザー装置 (ＵＥ)から、ネットワークデバイスにより、アップリンクデータを受信する工程と、
前記ＵＥから、伝送電力情報を受信する工程と、 
伝送サービス品質 (ＱｏＳ)情報を得る工程、および、 
前記伝送電力情報と前記伝送ＱｏＳ情報を関連付けて、これにより、前記ＵＥのアップリンクパフォーマンスを判断する工程、
を含むことを特徴とするアップリンクＭＤＴ測定の方法。
【請求項９】
前記伝送ＱｏＳ情報は、少なくともひとつのデータレート、トランスポートブロックサイズ、変調および符号化スキーム、伝送バンド幅、複数のリソースブロック、複数のソフトコンビネーションまたはネットワークマクロダイバーシチ、信号強度または品質、および、干渉レベルを含むことを特徴とする請求項８に記載のアップリンクＭＤＴ測定の方法。
【請求項１０】
前記伝送電力情報は、少なくともひとつの測定される絶対伝送電力、パワーヘッドルームレポート、前記ＵＥは電力が制限されることを示すインジケーター、および、電源制御コマンドまたは所定のＵＥ電源制御行動に基づいて推定される潜在の電力情報を含むことを特徴とする請求項８に記載のアップリンクＭＤＴ測定の方法。
【請求項１１】
前記ネットワークデバイスは、ネットワークメトリクスログで、前記伝送電力情報および前記伝送ＱｏＳ情報の相関結果をアーカイブすることを特徴とする請求項８に記載のアップリンクＭＤＴ測定の方法。
【請求項１２】
さらに、
前記ＵＥにより生成される前記伝送電力情報および前記伝送ＱｏＳ情報の別の相関結果を含むＵＥ相関メトリクスログを受信する工程を含むことを特徴とする請求項１１に記載のアップリンクＭＤＴ測定の方法。
【請求項１３】
前記ネットワークメトリクスログは、さらに、前記ＵＥ相関メトリクスログを含むことを特徴とする請求項１２に記載のアップリンクＭＤＴ測定の方法。
【請求項１４】
アップリンクＭＤＴ測定の方法であって、
位置関連の測定を実行し、これにより、無線ネットワーク中、ユーザー装置 (ＵＥ)により、位置測定結果を生成する工程と、
選択的にダウンリンク測定を実行し、これにより、前記ＵＥによりダウンリンク測定結果を生成する工程と、
選択的にアップリンク測定を実行し、これにより、前記ＵＥにより、アップリンク測定結果を生成する工程、および 
前記位置関連の測定結果、前記ダウンリンク測定結果および前記アップリンク測定結果を関連付ける工程、
を含むことを特徴とするアップリンクＭＤＴ測定の方法。
【請求項１５】
前記アップリンク測定結果が有効になる時、前記位置関連の測定および前記ダウンリンク測定が実行または記録されることを特徴とする請求項１４に記載のアップリンクＭＤＴ測定の方法。
【請求項１６】
前記アップリンク測定結果が有効になる時、前記位置関連の測定結果および前記ダウンリンク測定結果がログにログされることを特徴とする請求項１４に記載のアップリンクＭＤＴ測定の方法。
【請求項１７】
さらに、
前記ログをネットワークデバイスに伝送する工程を含むことを特徴とする請求項１６に記載のアップリンクＭＤＴ測定の方法。
【請求項１８】
アップリンクＭＤＴ測定の方法であって、
無線ネットワーク中、ネットワークデバイスにより、ユーザー装置 (ＵＥ)に適用できる位置関連の測定結果を得る工程と、
選択的に前記ＵＥに適用できるダウンリンク測定結果を得る工程と、
選択的に前記ＵＥから、第一アップリンク測定結果を得る工程と、
選択的に前記ＵＥに適用できる第二アップリンクを実行し、これにより、第二アップリンク結果を生成する工程、および、
前記位置関連の測定結果、前記ダウンリンク測定結果、前記第一アップリンク測定結果、および、前記第二アップリンク結果を関連付ける工程、
を含むことを特徴とするアップリンクＭＤＴ測定の方法。
【請求項１９】
前記ネットワークデバイスは、ロギングプロセスで、アップリンクに非関連の前記位置関連の測定結果および前記ダウンリンク測定結果を放棄することを特徴とする請求項１８に記載のアップリンクＭＤＴ測定の方法。
【請求項２０】
前記第一アップリンク測定結果が有効になる時、前記相関が始動されることを特徴とする請求項１８に記載のアップリンクＭＤＴ測定の方法。
【請求項２１】
前記第一アップリンク測定結果が有効になる時、前記ＵＥから、前記ネットワークは、前記位置関連の測定結果を受信することを特徴とする請求項２０に記載のアップリンクＭＤＴ測定の方法。
【請求項２２】
ＵＬ／ＤＬ伝送が有効である時、または、データが伝送または再伝送バッファに含まれる前記ネットワークに知られるようになる時、前記相関が始動されることを特徴とする請求項１８に記載の方法。
【請求項２３】
前記ＵＬ／ＤＬ伝送が実行される時、前記ネットワークは、前記ＵＥから、前記位置関連の測定結果を受信することを特徴とする請求項２２に記載のアップリンクＭＤＴ測定の方法。
【発明の詳細な説明】
【技術分野】
【０００１】
この出願は、２０１０年１１月３日に出願された「Method of MDT Information Logging and Reporting」と題された米国仮出願番号第６１／４０９７３７号から、合衆国法典第３５編第１１９条の下、優先権を主張するものであり、その内容は引用によって本願に援用される。
【０００２】
本発明は、ドライブ試験の省力化 (Minimization of Drive Test、ＭＤＴ)に関するものであって、特に、アップリンクＭＤＴ測定に関するものである。  
【背景技術】
【０００３】
３ＧＰＰリリース８として導入される第三世代パートナーシッププロジェクト (３ＧＰＰ)ロングタームエボリューション (ＬＴＥ)システムは、改善されたユニバーサルモバイルテレコミュニケーションシステム (ＵＭＴＳ)である。ＬＴＥシステムは、簡潔なネットワークアーキテクチャからもたらされる高ピークデータ速度(peak data rate)、低レイテンシー(latency)、改善されたシステムキャパシティ、および、低操作コスト(operating cost)を提供する。ＬＴＥシステムにおいて、進化型ユニバーサル地上無線通信アクセスネットワーク (Ｅ-ＵＴＲＡＮ)は、ユーザー装置 (ＵＥ)と称される複数の移動局と通信する複数の進化型 Node-Bs (ｅＮＢ)を含む。
【０００４】
３ＧＰＰはドライブ試験の省力化 (ＭＤＴ)を導入して、サービスプロバイダに費用効率が高い方法を与え、サービスエリアを最適化する。モバイルシステム中の無線層サービスエリアは、基地局の位置、ビル近隣の配置、モバイルユーザーの使用中の干渉および別の環境要因によって変化する。従来、サービスプロバイダは、運転テストを実行して、測定結果および位置情報を集める必要がある。集まった情報は、その後、サービスエリアの分析に用いられる。最適化は、この分析に基づいて、パラメータを調整することにより達成される。各最適化後、運転テストが再度行われて、システムの変化の影響を有益なものにする。このようなテストは、コストが非常に高い。ＭＤＴが設計されて、一方法により提供される問題を軽減し、ＵＥを用いて、このようなテストを実行する。これは、この領域のＵＥ測定結果を収集し、ネットワーク最適化をさらに効果的にすることにとても有益で、ＵＥから、測定結果、位置情報および別の関連する情報を獲得することが可能である。
【０００５】
二種のＭＤＴがある: 即時ＭＤＴとログされたＭＤＴである。即時ＭＤＴの場合、ＵＥは、無線リソース制御（Radio Resource Control、ＲＲＣ)接続状態で、測定を実行する。測定報告は、報告状態のときに、即時に、ｅＮＢに伝送される。ログされたＭＤＴの場合、ある設定された条件が満たされる時、ＵＥは、ＲＲＣアイドル状態で測定を実行する。ＵＥは測定ログを保存し、時間の最終点で、ｅＮＢに報告する。ＭＤＴのどちらのタイプでも、どのようにして、測定を正確に解釈し、異なる情報を関連付けるかが、正確なサービスエリアピクチャを得るために重要である。
【０００６】
３ＧＰＰリリース１０において、アップリンク (ＵＬ)サービスエリアおよびパフォーマンス特徴化の目的のＭＤＴに含まれる二個の測定がある: ＵＥによるパワーヘッドルーム (ＰＨＲ) 測定、および、ｅＮＢによるアップリンク信号強度および信号対干渉雑音電力比(signal-to-interference plus noise ratio、SINR) 測定。ＰＨＲがｅＮＢにより用いられ、ＵＥの経路損失を計算し、その後、ＳＩＮＲターゲットの設定に用いられる。ＰＨＲは、ＵＥがどのくらいの電力を残して、全出力の使用を開始するのかを示し、全出力は、現在のＵＥ伝送電力と最大ＵＥ伝送電力間の差である。ＭＤＴのＵＬ測定を用いた現在の技術にはいくつかの課題がある。
【０００７】
まず、アップリンク測定自身は、ＵＬパフォーマンスマップを作り上げるのに十分ではない。現在の技術は、低ＰＨＲ値がＵＬパフォーマンス問題のインジケータであることを示唆する。このような叙述は正確ではなく、場合によっては誤りである。伝送に用いられるパワーレベルは、変調および符号化スキーム (Modulation and Coding Scheme、ＭＣＳ)およびバンド幅−物理リソースブロック (ＰＲＢ)の数量に動的に依存する。よって、ダイナミックビットレートのサービスにとって、低ＰＨＲは、必ずしも、アップリンク問題の表れではない。たとえば、サービスが、高ビットレートを用いる場合、基地局は、リンク適応中、積極的なので、ＰＨＲは低い。低ＰＨＲは、このＵＥに広いバンド幅を割り当てることにより、あるＵＥを優先する基地局の結果である。現在の技術は、低ＵＬ信号強度またはＳＩＮＲが、アップリンクパフォーマンス問題のインジケータであることも示唆する。このような叙述も誤りである。現在のリンク適応および電力制御方法において、ある状況での電力測定と干渉測定の受信は、ＵＬパフォーマンスを示すことができる。しかし、これらの測定は、サービスエリア問題全てについては伝えていない。ＵＥは電力が制限されて、計画された最小ビットレートを達成できない時、第一種のサービスエリア問題が発生する。多くの要因が、低ＵＬ信号強度、たとえば、スケジュールされた低ビットレートを生じる。ＵＬ干渉を減少する、または、ＵＥバッテリーを節約するため、低ＵＬ信号強度も必要とされる。基地局は、保守的なリンク適応と低電力で、ＵＥをスケジュールすることも選択する。よって、低信号強度は、アップリンク サービスエリア問題を示すのに十分ではない。
【０００８】
ＭＤＴのＵＬ測定の第二問題は、どのように、ＤＬ測定、位置情報およびＵＬ測定を関連付けるかである。現在の技術は、位置情報が有益で、そのＤＬ測定が有益であることを示唆するが、しかし、これらの情報をどのように提供し、関連付けるかが分析されていない。別々に実行する場合、ＤＬ測定、位置情報およびＵＬ測定の収集は成熟した技術である。しかし、情報の収集に不一致が存在する。リファレンス伝送が常に進行中なので、その間ずっと、ＤＬ測定が集められる。一方、ＵＬ測定は、データ伝送が発生する時だけ集められる。よって、ＭＤＴ目的では、 多くのＤＬ測定および位置情報は、ＵＬ観察の関連性がない。
【０００９】
本発明は、ＭＤＴの現在の技術中の二つの主な問題に取り組む。一つ目の問題は、どのように、ＵＬ測定データとＱｏＳ情報を関連付けて、ＵＥパフォーマンス問題を見つけ出すかである。二つ目の問題は、どのように、ＤＬ測定、位置情報およびＵＬ測定をうまくスケジュール、および、関連付けて、ＭＤＴ測定およびロギング効率を改善するかである。
【発明の概要】
【発明が解決しようとする課題】
【００１０】
ＭＤＴ情報ロギングと報告の方法が提供される。一態様において、一方法が提供されて、ＵＬ測定とＱｏＳ情報を関連付けることにより、従来の技術の欠点を解決し、サービスエリア問題のＵＬパフォーマンス分析および正確な検出を可能にする。別の態様において、一方法が提供され、ＵＬ測定の条件下で、ＤＬ測定および位置情報を収集またはロギングすることにより、従来の問題の欠点を解決する。
【課題を解決するための手段】
【００１１】
本発明の態様は、ＵＬ測定と関連するＱｏＳ情報を関連付ける方法を提供し、本方法は、ワイヤレスアップリンクチャネルで、ユーザー装置 (ＵＥ)からネットワークデバイスに、アップリンクデータを伝送する工程と、アップリンクチャネルの伝送電力を測定し、これにより、伝送電力情報を生成する工程と、アップリンクチャネルの伝送サービス品質 (ＱｏＳ)情報を得る工程、および、伝送電力情報と伝送ＱｏＳ情報を関連付けて、これにより、ＵＥのアップリンクパフォーマンスを判断する工程、を含む。
【００１２】
本発明の別の態様において、一方法が提供され、無線ネットワークにおいて、アップリンクチャネルで、ユーザー装置 (ＵＥ)から、ネットワークデバイスにより、アップリンクデータを受信する工程と、ＵＥから伝送電力情報を受信する工程と、伝送サービス品質 (ＱｏＳ)情報を得る工程、および、伝送電力情報と伝送ＱｏＳ情報を関連付けて、これにより、ＵＥのアップリンクパフォーマンスを判断する工程、を含む。
【００１３】
本発明の別の態様において、ＤＬ測定と位置情報とＵＬ測定を関連付ける方法が提供され、本方法は、位置関連の測定を実行し、これにより、無線ネットワークにおいて、ユーザー装置 (ＵＥ)により、位置測定結果を生成する工程と、ダウンリンク測定を実行し、これにより、ＵＥによりダウンリンク測定結果を生成する工程と、アップリンク測定結果を得る工程、および、位置関連の測定結果およびダウンリンク測定結果とアップリンク測定結果を関連付ける工程、を含む。
【００１４】
本発明の別の態様において、一方法が提供され、無線ネットワークにおいて、ユーザー装置 (ＵＥ)から、ネットワークデバイスにより、位置関連の測定結果を受信する工程と、ＵＥからダウンリンク測定結果を受信する工程と、アップリンク測定を得て、これにより、アップリンク測定結果を生成する工程、および、位置関連の測定結果およびダウンリンク測定結果とアップリンク測定結果を関連付ける工程、を含む。
【００１５】
他の実施の形態及び利点が以下の詳細な説明に述べられる。この概要は、本発明を定めるものではない。本発明は、請求項によって定められる。
【図面の簡単な説明】
【００１６】
【図１】図１は、一新規態様による異なるＱｏＳ要求を有する複数のＵＥがｅＮＢと通信する無線通信システムおよびＵＥを示す図である。
【図２Ａ】図２Ａは、サービス品質(ＱｏＳ)情報がＵＬ測定と関連付けられる本発明の一態様の方法のステップを示す図である。
【図２Ｂ】図２Ｂは、ＭＤＴ目的で関連付けられる異なるＱｏＳ情報パラメータおよび異なるＵＬ測定をリストする表である。
【図３】図３は、ＵＥ ＭＤＴ報告およびネットワークＭＤＴ報告が結合される本発明の一態様のフローチャートである。
【図４】図４は、ＭＤＴ中、ＤＬ測定、位置情報およびＵＬ測定が関連付けられる本発明の一態様の方法のステップを示す図である。
【図５】図５は、ＤＬ測定および位置測定がＵＬ測定結果により始動されるＵＥベースのロギング方法のフローチャートである。
【図６Ａ】図６Ａは、一新規態様によるネットワークベースのロギング方法のフローチャートである。
【図６Ｂ】図６Ｂは、一新規態様によるネットワークベースのロギング方法のフローチャートである。
【発明を実施するための形態】
【００１７】
本発明の実施態様について詳細に述べる。その例は添付画面に示されている。
図１は、異なるＱｏＳを有する複数のＵＥ要求がｅＮＢと通信する無線通信システム１００、および、本発明が提供するＵＥを示す図である。図１に示されるように、複数のＵＥ１０２-１０５はｅＮＢ１０１と接続する。ＵＥはセルの異なる位置にあり、よって、あるものは、サービスエリア問題がある。
【００１８】
ＵＬ電力情報は、サービスエリア問題の特徴を理解することに関連する。たとえば、セルのエッジにあるＵＥ１０３がその全電力を用い、まだ、計画されたパフォーマンスを達成できない場合、サービスエリア(coverage)に関連するセルエッジパフォーマンス(cell-edge-performance)問題がある。通常は、信号対雑音比（Signal to Noise Ratio、ＳＮＲ)またはＳＩＮＲに関連するサービスエリアまたは無線層またはＲＦ問題は、アンテナ、電力増幅器、フィルター等を変化させることにより解決できる。セルラーシステムにおいて、無線層への変化は、通常、通信の全層に伝わっているセル全体の行動およびパフォーマンスに影響する。無線層問題を改善する一方策は、サービングセルアンテナの方向を変化させることによりにより、特定方向で、受信感度を増加する。しかし、このような変化は、検出されにくく、ＵＥ接続性に強い影響を有するサービスエリアホールを形成する。よって、 関連する要素は、ＭＤＴ中のＵＬ測定と共に考慮されて、このように強い影響のサービスエリア調整を行う必要がある。
【００１９】
一方、 たとえば、サービスエリア問題を有さない領域にあるＵＥ１０５は、その全電力を用いない間、その計画されたパフォーマンスを達成できず、問題は、サービスエリアよりむしろ、無線リソースマネージャー(Radio Resource Manager、ＲＲＭ)に関連する。このような場合、無線アクセスノード(Radio Access Node、ＲＡＮ)は、無線伝送の特徴、たとえば、セル内ロードバランシング（inter-cell load balancing）の特徴を変化させることが可能である。一般に、ＲＲＭが失敗だと決定する場合、ＵＥは、まだ、別の試みを行い、作動中で留まる選択を有する。たとえば、ＲＡＮが、セル内ロードバランシングで、ＵＥを積極的に誘導する場合、ＵＥは、そのサービングセルへの接続を失う。しかし、ＵＥは、さらに、別の更に適当なセルとの接続をリカバーする。ＵＥ出力電力およびバッテリー影響を最小化する間、ＵＬ電力は、セルエッジの隣接セル間で安定し、安定した干渉環境および最大ＵＬビットレートパフォーマンスを有する。よって、セル内ロードバランシングおよび別のＲＲＭアルゴリズムは、ネットワークサービスエリア最適化のＵＬ測定に関連する要素でもなければならない。
【００２０】
さらに、図１に示されるように、別のパラメータもＵＥのパワーレベルに影響する。たとえば、ＵＥ１０３、音声会話に携わる電話は、ＵＥ１０５からの異なるＱｏＳ要求を有し、ＵＥ１０５は、バーストデータサービス(burst data service)を用いたラップトップである。ＵＥは、高出力を用いて、高いＱｏＳ、たとえば、高いビットレート、低レイテンシーを達成することができる。たとえば、ＵＥ電力制御は、さらに多くのビットで伝送される時、ＵＥがさらに多くの電力を使用する方式で設計される。このようなＵＥ伝送は、広い無線バンド幅、追加のアンテナ多重入出力(multiple input multiple output、ＭＩＭＯ)技術、または、さらに積極的な変調および復号化スキーム (ＭＣＳ)を用いることにより調整される。同様に、高い伝送が再伝送の必要性を減少させるので、ＵＥは、更に多くの電力を伝送に割り当てて、レイテンシーを減少させることが期待され、これは、レイテンシーを導入する主なソースである。ＱｏＳパラメータは、リンク適応パラメータおよび測定、たとえば、導入されたＭＣＳ、用いられたＭＩＭＯモード、用いられた周波数バンド幅、ハイブリッドＡＲＱ(ＨＡＲＱ)またはマクロダイバーシチにより必要とされるソフトコンビネーション伝送の数量から推定される。よって、ＵＬパワーレベルは、位置または特定のＵＥが位置するサービスエリアにより全く判断されないのではない。よって、ＵＬ電力情報だけでは、サービスエリア問題を見つけるのに十分ではない。追加のＱｏＳパラメータは、ＭＤＴで、ＵＬ測定と関連付けられて、サービスエリア問題に対する更なる理解を生み出すことが必要である。
【００２１】
本発明の態様を実行するＵＥ１０２のブロック図が図１に示される。アンテナ１１４は、ＲＦ信号を送受信する。アンテナ１１４に結合されるトランシーバモジュール１１３は、アンテナ１１４からＲＦ信号を受信し、それらをベースバンド信号に転換して、プロセッサ１１２に伝送する。また、トランシーバ１１３は、プロセッサ１１２から受信したベースバンド信号をＲＦ信号に転換し、アンテナ１１４に伝送する。プロセッサ１１２は、受信したベースバンド信号を処理して、異なる機能モジュールを起動させて、ＵＥ１０２中で、特徴を実行する。メモリ１１１は、プログラム命令およびデータを保存して、ＵＥ１０２の操作を制御する。
【００２２】
図１は、本発明の態様を実行する機能ブロック１１５、１１６、１１７および１１８も示す。設置モジュール１１５は、ネットワークからの設置情報を処理し、別の機能モジュール、たとえば、相関モジュール１１６と相互作用して、それに応じた動作を実行する。相関モジュール１１６はアルゴリズムを利用して、得られた測定データとＱｏＳ情報を関連付けて、さらに完全な報告を生成する。本発明の一態様において、相関モジュール１１６は、設置モジュール１１５からの設置データおよび別の組み込まれた命令を取り込んで、相関アルゴリズムを実行する。アップリンクパワー測定モジュール１１７は、アップリンク電力を測定し、関連するアップリンク電力情報を生成する。本発明の一態様において、パワー測定モジュール１１７は、アカウント設置情報または別の組み込まれた命令を考慮し、それに従って、関連する電力情報を生成する。ＱｏＳ情報モジュール１１８は、関連するＱｏＳ情報を得て、処理し、よって、相関モジュール１１６は、効果的に、測定データとＱｏＳ情報を関連付けることができる。本発明の一態様において、ＱｏＳ情報モジュール１１８が提供されて、設置データを取得し、ＱｏＳ情報を動的に変化させる。
【００２３】
図２Ａは、サービス品質(ＱｏＳ)情報がＵＬ測定と関連付けられるある本発明の態様の方法のステップを示す図である。ステップ２０１で、ＵＥは、アップリンクデータをネットワークデバイスに伝送する。ＵＬグラントが受信される時、ＵＬ伝送が発生する。これらのステップのどちらかが、ＭＤＴアップリンク測定工程のために始動される。ステップ２０２で、ＵＥは、アクティブアップリンクチャネルの伝送電力を測定する。ステップ２０３で、ＵＥは、伝送電力情報を生成して、伝送電力情報をネットワークデバイスに伝送する。
【００２４】
幾つかのタイプの伝送電力情報が考えられる。伝送電力情報ロギングがＵＥで実行される場合、ＵＥは、常に、伝送で用いられるその絶対電力を常に知り、これは、ＵＬパフォーマンスを推定する最も有益なメトリックなので、絶対伝送パワーレベルが用いられる。別の方法はＰＨＲを用いる。ＰＨＲを用いる長所は、再利用を最大化し、一般的な影響を最小化することである。また、追加のテスト要求を最小化することである。ＰＨＲは、ＵＥに用いられる、または、ネットワークに報告およびネットワークによりログされる。ＰＨＲを復号するとき、推定される絶対伝送電力が推算される。さらに別の場合において、ＵＥは電力が制限されるかどうかにかかわらず、プールインジケーター(Boolean indicator)は、伝送電力情報を示すのに十分である。たとえば、ロギングが“実体の(real)” 観察されたデータ(その他の現在より大きいパワーレベルに到達することを推定する外挿計算が必要ない)に制限されなければならないとき、 プールインジケーターは、電力情報を提供するのに十分である。別の例では、たとえば、ＵＥが、現在の無線状態で、最大データレートで、伝送することが求められる時、電源制限状態が一番の関心事である。ある場合において、電源制御コマンドまたは所定のＵＥ電源制御行動に基づいて、潜在の(implicit)電力情報が推定される。たとえば、ＲＡＮが、各受信した伝送のＰＨＲを受信しない時、ＰＨＲ報告中に制限がある。このような状況下で、ＲＡＮは各伝送の電力制御を行い、受信したＰＨＲ間で用いられるＵＥ電力を追跡および推定する。このような推定は全く正確ではないが、黙示的に推定される情報はまだ、ＭＤＴ目的の値になることができる。
【００２５】
ステップ２０４で、ＵＥは伝送サービス品質 (ＱｏＳ)情報を得る。本発明の一態様において、データレートは、ＵＬ測定と関連付けるのに用いることができるＱｏＳ情報のひとつである。スケジュールされた物理層 (Ｌ１)データレートおよびＵＥ電力を知る場合、ＵＥに用いられる正確な電力が推定される。たとえば、スケジュールされた物理層データレートが、ＴＴＩの長さにより分割される時間伝送インターバル(time transmission interval、ＴＴＩ)で伝送されるために割り当てられるビット数であると仮定する。ＵＥが、その全電力またはほぼ全てのその電力を使用する場合、スケジュールされた物理層ビットレートが、現在の無線層設定で、特定の地理的な位置で達成される最大限度に近いと妥当な結論が出される。しかし、ＵＥがその全電力を用いない場合、ＵＥの残り電力およびスケジュールされたＬ１データレートの情報が用いられて、最大限度ビットレート外挿(maximum limit bit rate extrapolation)を推定する。よって、データレートのＱｏＳ情報は、ＵＬ測定および位置情報と共に、有効になり、計画されたビットレートが達成されない位置を正確に見つける。データレートは、保証されたビットレート (ＧＢＲ)または優先的ビットレート (ＰＢＲ)、または、トランスポートブロックサイズまたは伝送時間として計算されるビットレートである。
【００２６】
同様に、トランスポートブロックサイズは、ＭＤＴ報告にも有益なＱｏＳ情報である。ＴＴＩ長さが知られている場合、 スケジュールされた物理層データレートは、既知のトランスポートブロックサイズにより簡単に計算される。よって、データレートに代わり、トランスポートブロックサイズもログされて、同じ方法をデータレートとして、ＵＬ測定および位置情報と結合することにより、サービスエリア情報を正確に推定する。さらに、データレート測定の詳細定義は考慮される必要がないので、トランスポートブロックサイズの使用は簡潔化に有利である。 
【００２７】
本発明の一態様において、ＭＣＳおよび伝送バンド幅 (ＢＷ)がある無線技術 (ＲＡＴ)で知られている場合、伝送のトランスポートブロックサイズを推定することが可能である。ＣＤＭＡシステムにとって、相当物は拡散因子(spreading factor)である。よって、上述の分析に従って、これらのパラメータがログされ、報告される場合、データレートとして用いられて、ロギングデータレートと同じ結果を達成する。ＭＣＳおよびＢＷを別々にロギングする長所は、用力(power usage)および伝送ロバスト性観点と異なる特徴を有することである。よって、それらが別々に提供される場合、組み合わせは、よい見解(insight)を、ＲＲＭの詳細な操作およびどのようにＲＲＭアルゴリズムを最適化するかのよい手がかり与える。さらに、ＲＲＭアルゴリズム操作が知られていて、且つ、予測可能である場合、ＭＣＳ情報も、ある位置で、達成可能なビットレートで情報を提供するのに有益である。
【００２８】
本発明の別の態様において、ＨＡＲＱまたはマクロダイバーシチ(macro diversity)に必要なソフトコンビネーションの数量のＱｏＳ情報は、ＭＤＴ目的に利用される。ある場合において、ある伝送は失敗で、且つ、データ伝送または受信を成功させるために、その多重受信が必要である。よって、伝送の回数は、実際のマルチ伝送データレートのレイテンシーおよび無線リソース使用設定制限両方に反映する。このような情報は、レイテンシー、用力およびレイテンシー間のトレードオフ(trade-off)を制御するＲＲＭアルゴリズム操作に見解を提供する。ＭＤＴ中のこれらのデータのロギングと報告は、ＲＲＭおよびＱｏＳ最適化に好ましい推定を与える。
【００２９】
本発明のさらに別の態様において、受信した電力または信号強度または受信した干渉は、ＭＤＴでログできるＱｏＳ情報である。受信された電力または信号強度が、伝送電力と共に知られている場合、無線伝播条件(radio propagation condition)を計算するのは簡単である。さらに、受信した干渉も知られている場合、ＱｏＳ制限の主な物理的要素が知られる。推定された情報は、ネットワークサービスエリア設定を再計画するまたは変化する必要があるかの判断を容易にする。
【００３０】
ステップ２３０で、伝送電力情報を得て、ステップ２０４で、ＱｏＳ情報を得た後、ステップ２０５において、上述の情報が関連付けられる。関連付け(correlation)は、ＵＥまたはネットワークで行われる。ＵＥ中でのロギングおよび関連付けの実行は幾つかの長所がある。ＵＥは、追加のオーバーヘッドを負担して、情報を伝達することなく伝送されるデータの一部分の正確な伝送電力情報を得る。ＵＥは、本発明で討論されるＱｏＳ情報の大部分、たとえば、データレート、トランスポートブロックサイズ、ＭＣＳ、伝送バンド幅、リソースブロックの数量およびＨＡＲＱにより必要とされるソフトコンビネーションの数量にアクセスする。ネットワークでのロギングと関連付けもいくつかの長所がある。物理現象を測定するネットワーク-限定の測定の長所を用いることにより、関連付けに用いられるＱｏＳ、たとえば、受信した信号強度および受信した干渉レベルを制限する。
【００３１】
図２Ｂは、ＭＤＴロギングおよび報告目的のために関連付けられる異なる伝送ＱｏＳ情報パラメータおよび異なる伝送電力情報パラメータをリストした表２１０である。図２Ｂに示されるように、相関プロセスは、ネットワークパフォーマンス問題に対応する状況により始動される。多くの場合、ロギングの目標は、ＵＬサービスエリアが計画より弱い、および、あるサービスをサポートするのが困難な領域を見つけることである。このような場合において、問題の状態が検出されて、不必要に大きいロギングデータ量を回避する時、関連付けとロギングだけを行うのには十分である。
【００３２】
一態様において、ＵＥは電力が制限される間、問題の状態は低データレートを示す。このような状況の例は、最小データレートより小さいデータレートを含み、ＰＨＲは第一スレショルドより小さい、または、伝送電力は第二スレショルドより大きい。ＰＨＲが第一スレショルドより小さい、または、伝送電力が第二スレショルドより大きい時、ＵＥが、電力が制限される、または、ほとんどの電力が制限されることを意味するので、よって、そのピークデータレートで、または、その付近で伝送される。同時に、観察されたデータレートが、計画された最小データレートより小さい場合、ネットワークサービスエリアまたは干渉またはその両方の問題がある。このような領域は、最適化活性に影響する問題領域である。
【００３３】
問題の状態の別の例は、トランスポートブロックサイズが最小トランスポートブロックサイズより小さく、ＰＨＲが第一スレショルドより小さい、または、伝送電力が第二スレショルドより大きい。同様に、直接、データレートを観察する代わりに、小さいトランスポートブロックサイズは、直接、小さいデータレートに変換される。よって、これは、ネットワークサービスエリア問題の表れである。
【００３４】
さらに別の態様において、始動状態(triggering condition)は、最小ＭＣＳスレショルドより小さいＭＣＳで、ＰＨＲは第一スレショルドより小さい、または、伝送電力は第二スレショルドより大きい。伝送バンド幅のある予測可能な選択をとると、あるＭＣＳは、ビットレートのある可能な範囲にマップされる。よって、あるバンド幅割り当てアルゴリズムを仮定すると、ＭＣＳが、計画されたビットレートをサポートする需要より小さい場合、データレートまたはＴＢサイズを観察する時、明らかな問題になる。
【００３５】
図３は、ＵＥ ＭＤＴ報告とネットワークＭＤＴ報告が結合される本発明の一態様のフローチャートである。ＵＥ３０１はｅＮＢ３０２と接続される。ステップ３１０で、ＵＥ３０１はアップリンクデータをｅＮＢ３０２に伝送する。ＵＥ３０１ ステップ３２１で、アップリンク伝送電力を測定する。その後、ＵＥ３０１は、伝送電力情報を生成し、ログする。ステップ３３１で、ｅＮＢ３０２は、アップリンク伝送電力情報 (たとえば、ＵＥ３０１から伝送される)を得て、伝送電力情報をログする。ステップ３３２で、ＵＥ３０１は伝送ＱｏＳ情報 (たとえば、データレート)を得て、情報をログする。ステップ３３２で、ｅＮＢ３０２は、ＱｏＳ情報 (たとえば、受信した信号強度および干渉情報)を得て、情報をログする。ステップ３２３で、ＵＥ３０１は、伝送電力情報とそのＱｏＳ情報を関連付ける。ステップ３３３で、ｅＮＢ３０２は、アップリンク伝送電力情報とそのＱｏＳ情報も関連付ける。ステップ３２４で、ＵＥ相関結果は、ＵＥ相関メトリックでログされ、ステップ３３４で、ｅＮＢ相関結果は、ネットワーク相関メトリクスログでログされる。ステップ３３１で、ＵＥ３０１は、ＵＥ相関メトリクスログをｅＮＢ３０２に伝送する。ステップ３３５で、ｅＮＢ３０２は、受信したＵＥ相関メトリクスログとネットワーク相関メトリクスログを結合する。
【００３６】
従来の技術問題が、アップリンクと無関係の大量のＤＬ測定および位置測定を生じるのを解決するため、直接または間接的に、ＤＬ測定と位置測定条件を、ＵＬ測定結果の利用可能性の条件下で使用することを提案する。図４は、ＭＤＴロギングおよび報告におけるＤＬ測定、位置情報およびＵＬ測定が関連付けられる本発明の一態様の方法のステップを示す図である。ステップ４０１で、ＵＥは、位置関連測定を実行して、位置関連の測定結果をネットワークデバイスに伝送する。ステップ４０２で、ＵＥは、選択的に、ダウンリンク測定を実行し、ダウンリンク測定結果をネットワークデバイスに伝送する。ステップ４０３で、ＵＥのアップリンクデータ伝送のイベントを始動するとき、ＵＥは、選択的に、アップリンク測定を実行し、第一アップリンク測定結果を生成する。ステップ４０４で、ネットワークは、選択的に、アップリンク測定を実行し、第二アップリンク結果を生成する。ステップ４０５で、位置関連の測定結果、ダウンリンク測定結果および第一および第二アップリンク測定結果は、ＵＥまたはネットワークデバイスにより関連付けられる。
【００３７】
本発明の一態様において、ＵＥの観点から、位置関連の情報およびＤＬ測定結果の収集とロギングは、アップリンクデータ伝送により始動される。つまり、ＵＬ測定 (たとえば、ＰＨＲ)が有効になる時、ＤＬ測定および位置測定が実行されるおよび／または有効であるＤＬ測定および有効である位置測定がログされる。これは、必要以上のＤＬ測定結果または位置情報または両方があり、関連するＵＬ測定結果がない問題を解決する。同様に、ネットワークの観点から、同じ方法がネットワークにより用いられる。アップリンクデータの受信は、ネットワークを始動(trigger)して、追加のＵＬ測定結果 (たとえば、ＵＬ ＱｏＳ)を獲得し、追加のＵＬ測定結果とＤＬ測定結果および位置関連の情報を関連付ける。
【００３８】
図５は、ＤＬ測定および位置測定が、ＵＬ測定結果の利用可能性により始動されるＵＥベースのロギング方法のフローチャートである。ステップ５０１で、ＵＥは、アップリンク測定が有効であるかどうか監視する。有効でない場合、ＵＥは、状態の監視を継続する。アップリンク測定が有効である場合、ステップ５０２で、ＵＥは、ＭＤＴのロギング位置関連の測定のプロセスを開始する。ステップ５０３で、ＵＥは、ロギングダウンリンク測定のプロセスを開始する。ＵＥベースのロギング方法にとって、命令状況を適用するのは最も簡単な方法で、ＵＬ測定の利用可能性は、ＤＬ測定および位置測定のロギングを始動する。同じ根本概念は、一般的に、データ伝送、たとえば、前記のＵＬ測定を必要とする測定に適用できる。本発明の一態様中、それらは、データ伝送依存ＤＬ測定にも適用され、これは、たとえば、位置測定と関連する得られた測定が、データ伝送依存測定の利用可能性の条件下、または、データ伝送自身の条件下で使用されることを意味する。
【００３９】
図６Ａおよび６Ｂは、一新規態様によるネットワークベースのロギング方法のフローチャートである。ネットワークベースのロギングにとって、報告されたＵＥ測定およびネットワーク測定両方がログされることが期待される。一般に、ＤＬ測定および位置測定はＵＥにより報告される。一方、あるＵＬ測定 (たとえば、ＰＨＲ)はＵＥにより報告され、ある別のＵＬ測定 (たとえば、 ＵＬ ＱｏＳ測定)はネットワークにより実行される。図６Ａは、ネットワークベースのロギング方法のフィルタリングアプローチを示す。ＵＥは、全ＤＬと位置情報をネットワークに報告し (ステップ６０１)、ログに書き込む時、ネットワークはＤＬと位置情報をろ過する(ステップ６０４)。たとえば、ＵＬがテスト状態であるとき、アップリンク測定が有効でない場合 (ステップ６０２)、ＵＬに適さないＤＬと位置情報は、ロギングプロセスで放棄される (ステップ６０３)。一方、ステップ６０４で、ＵＬ測定が有効になる時、ネットワークは、関連するＤＬと位置情報をログする。ＵＬ測定が有効になるとき、ＵＥは、その位置をネットワークに報告することにより、相関を容易にする。このフィルタリングアプローチの主な利点は簡単なことである。
【００４０】
別のアプローチで、ネットワークは、ＵＥに、ＵＬで、ＤＬ測定と位置情報条件に、リアルタイム報告させる。このようなアプローチは、さらに、空気界面上の報告オーバーヘッド(reporting overhead)を減少させる。図６Ｂはこのアプローチを説明する。ステップ６１１で、ＵＥは、アップリンク測定の利用可能性を監視する。ＵＬ測定が有効である場合、ＵＥは、ステップ６１２で、ＤＬと位置情報をネットワークに報告する。ＵＬ測定が有効になる時、ＵＥは、その位置をネットワークに報告することにより、相関を促進する。ステップ６１３で、ネットワークは、報告されたＤＬと位置情報をログする。このようなアプローチは、本当に、非関連測定報告をゼロになるまで縮小する。この方法の欠点は、ＵＥが知らないｅＮＢ ＵＬ測定があることである。あるいは、ステップ６１１で、ＵＥは、アップリンクデータ伝送が有効であるか、または、ＵＬ伝送バッファ中にデータが存在するかを確認する。ステップ６１２で、アップリンクデータ伝送が有効である場合、ＵＥは、ＤＬと位置情報をログし、ネットワークに報告し、ステップ６１３で、ネットワークは、報告されたＤＬと位置情報をログする。このようなアプローチのリスクは、少しの非関連測定報告を一時保存することであるが、この方法は、ｅＮＢ ＵＬ測定を考慮することができ、且つ、非関連測定報告の主要部分を除去することである (すなわち、ＵＬトラフィックが、わずかな時間だけアクティブであると仮定する)。
【００４１】
ＵＬ測定は、ＭＤＴ中の重要な情報で、ＵＥパフォーマンスを分析し、ネットワークサービスエリア問題を検出して、ネットワーク計画および最適化する。従来の技術の欠点を解決するため、ＵＬ伝送電力情報とＱｏＳ情報の相関が設計されて、ＵＬに適性で、且つ、非不明瞭監視解釈(non-ambiguous observation interpretation)を有効にし、サービスエリア状態のさらに正確なピクチャを与える。さらに、過度の非関連ＤＬ測定および位置情報を減少させ、ＤＬ測定と位置情報の収集とロギングがＵＬイベントにより始動される。
【００４２】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
2013541921.tif 000003
【図２Ａ】
2013541921.tif 000004
【図２Ｂ】
2013541921.tif 000005
【図３】
2013541921.tif 000006
【図４】
2013541921.tif 000007
【図５】
2013541921.tif 000008
【図６Ａ】
2013541921.tif 000009
【図６Ｂ】
2013541921.tif 000010
【国際調査報告】
2013541921.tif 000011
2013541921.tif 000012
2013541921.tif 000013
2013541921.tif 000014